(57)【特許請求の範囲】
【請求項１】
印刷装置に供給される画像データを記憶する複数の記憶媒体を有する記憶装置と、
記憶媒体の内部状態を示す属性情報を前記複数の記憶媒体のそれぞれから受け取り、当該属性情報を用いて、当該複数の記憶媒体のうち交換を要する記憶媒体を特定する情報を出力する交換情報出力手段と、
前記交換情報出力手段が出力する情報を受け取り、当該情報に係る記憶媒体について、当該記憶媒体が交換を要する旨を示す場合に予め記憶されていた交換を要する当該記憶媒体の物理的位置に対応する座標情報を取得し、取得した当該座標情報を用いて前記記憶装置における当該記憶媒体が配置されている当該物理的位置を示すとともに当該記憶媒体が交換を要する旨を示す情報を、表示部に表示する制御を行う表示制御手段と
を備える印刷システム。
【請求項２】
前記表示制御手段は、前記記憶装置に配置されている前記複数の記憶媒体の物理的位置を、当該記憶装置の全体に対応する筐体における各記憶媒体の相対位置として、当該相対位置毎に記憶媒体を示す画像を表示し、交換を要する記憶媒体を示す画像には、当該記憶媒体が交換を要する旨を示す情報が含まれること
を特徴とする請求項１に記載の印刷システム。
【請求項３】
前記表示制御手段は、前記記憶装置に配置されている前記複数の記憶媒体のうち、特定の記憶媒体について、前記記憶媒体を示す画像を表示しないこと
を特徴とする請求項２に記載の印刷システム。
【請求項４】
前記表示制御手段は、前記記憶装置に配置されている前記複数の記憶媒体のうち、特定の記憶媒体について、当該特定の記憶媒体以外の他の記憶媒体とは異なる態様で前記記憶媒体を示す画像を表示すること
を特徴とする請求項２に記載の印刷システム。
【請求項５】
前記表示制御手段は、前記記憶装置に配置されている記憶媒体が交換され、交換後の記憶媒体が未使用の記憶媒体ではない場合、当該交換後の記憶媒体の物理的位置を示すとともに未使用の記憶媒体ではない旨を示す情報を表示すること
を特徴とする請求項１に記載の印刷システム。
【請求項６】
前記表示制御手段は、前記記憶装置に配置されている前記複数の記憶媒体のうち、交換を要する記憶媒体以外の記憶媒体について、物理的位置を示すとともに当該記憶媒体の状態を示す情報を表示すること
を特徴とする請求項１に記載の印刷システム。
【請求項７】
前記記憶装置に配置されている前記複数の記憶媒体への給電を制御する給電制御手段をさらに備え、
前記給電制御手段は、前記交換情報出力手段が交換を要する記憶媒体を特定する前記情報を出力した場合に、予め配置されていた予備の記憶媒体に給電すること
を特徴とする請求項１に記載の印刷システム。
【請求項８】
印刷装置に供給される画像データを記憶する複数の記憶媒体を有する記憶装置について、記憶媒体の内部状態を示す属性情報を当該複数の記憶媒体のそれぞれから受け取り、当該属性情報を用いて、当該複数の記憶媒体のうち交換を要する記憶媒体を特定する情報を出力する交換情報出力手段と、
前記交換情報出力手段が出力する情報を受け取り、当該情報に係る記憶媒体について、当該記憶媒体が交換を要する旨を示す場合に予め記憶されていた交換を要する当該記憶媒体の物理的位置に対応する座標情報を取得し、取得した当該座標情報を用いて前記記憶装置における当該記憶媒体が配置されている当該物理的位置を示すとともに当該記憶媒体が交換を要する旨を示す情報を、表示部に表示する制御を行う表示制御手段と
を備える表示制御装置。
【請求項９】
コンピュータに、
印刷装置に供給される画像データを記憶する複数の記憶媒体を有する記憶装置について、記憶媒体の内部状態を示す属性情報を当該複数の記憶媒体のそれぞれから受け取り、当該属性情報を用いて、当該複数の記憶媒体のうち交換を要する記憶媒体を特定する情報を出力する交換情報出力機能と、
前記交換情報出力機能にて出力された情報を受け取り、当該情報に係る記憶媒体について、当該記憶媒体が交換を要する旨を示す場合に予め記憶されていた交換を要する当該記憶媒体の物理的位置に対応する座標情報を取得し、取得した当該座標情報を用いて前記記憶装置における当該記憶媒体が配置されている当該物理的位置を示すとともに当該記憶媒体が交換を要する旨を示す情報を、表示部に表示する表示機能と
を実現させるためのプログラム。
【発明の詳細な説明】
【技術分野】
【０００１】
本発明は、印刷システム、表示制御装置及びプログラムに関する。
【背景技術】
【０００２】
特許文献１には、フロントエンド装置が、面付けに応じたページ出力順を意識せず、原稿のページ順に各解釈装置にページを割り当て、どの解釈装置にどのページを割り当てたかを示すリファレンス情報をバックエンド装置に通知し、解釈装置は、割り当てられたページを解釈して中間データを生成しスプール装置に保存し、フロントエンド装置は面付けに応じた出力順序情報と共に出力依頼をバックエンド装置に送り、バックエンド装置は、リファレンス情報を参照して各ページの中間データがどのスプール装置にあるかを特定し、出力順序情報が表すページ順に各ページの中間データをそれぞれ特定したスプール装置から取得し、面付けして印刷装置に印刷させる印刷システムが開示されている。
【０００３】
また、特許文献２には、画像形成装置と、画像形成装置の状態を診断する診断装置とから構成される診断システムであって、画像形成装置は、画像形成装置の内部状態を検知する検知手段と、予め定められた目標値を記憶する記憶手段と、検知手段の検知結果が目標値に近づくように画像形成装置を制御する制御手段と、検知手段により検知された内部状態の履歴データを診断装置に送信する履歴データ送信手段とを有し、診断装置は、履歴データ送信手段により送信された履歴データに基づき画像形成装置の故障原因を特定する故障原因特定手段と、故障原因特定手段により特定された故障原因を画像形成装置に送信する故障原因送信手段とを有し、診断装置は、故障原因を特定するにあたり、目標値が初期値から変更されている場合は、目標値を初期値に戻すよう画像形成装置に通知する診断システムが開示されている。
【先行技術文献】
【特許文献】
【０００４】
【特許文献１】特開２０１４−１７８８６０号公報
【特許文献２】特開２００８−００３４９５号公報
【発明の概要】
【発明が解決しようとする課題】
【０００５】
画像形成装置では、例えば、記憶装置に画像データを蓄積し、画像形成装置の印刷速度に合わせて記憶装置から画像データを読み出して印刷する場合がある。ここで、例えば、記憶装置に搭載されている記憶媒体が故障すると、印刷処理ができなくなることがある。印刷処理ができるようにするには、故障した記憶媒体を正常な記憶媒体に交換することが求められるが、記憶装置に複数の記憶媒体が搭載されている場合には、どの記憶媒体が故障しているのか判別しにくくなる。
本発明は、記憶装置が複数の記憶媒体を有する場合に、記憶装置内の配置構成が表示されない構成と比較して、交換を要する記憶媒体が配置されている場所の特定を容易にすることを目的とする。
【課題を解決するための手段】
【０００６】
請求項１に記載の発明は、印刷装置に供給される画像データを記憶する複数の記憶媒体を有する記憶装置と、記憶媒体の内部状態を示す属性情報を前記複数の記憶媒体のそれぞれから受け取り、当該属性情報を用いて、当該複数の記憶媒体のうち交換を要する記憶媒体を特定する情報を出力する交換情報出力手段と、前記交換情報出力手段が出力する情報を受け取り、当該情報に係る記憶媒体について、当該記憶媒体が交換を要する旨を示す場合に予め記憶されていた交換を要する当該記憶媒体の物理的位置に対応する座標情報を取得し、取得した当該座標情報を用いて前記記憶装置における当該記憶媒体が配置されている当該物理的位置を示すとともに当該記憶媒体が交換を要する旨を示す情報を、表示部に表示する制御を行う表示制御手段とを備える印刷システムである。
請求項２に記載の発明は、前記表示制御手段は、前記記憶装置に配置されている前記複数の記憶媒体の物理的位置を、当該記憶装置の全体に対応する筐体における各記憶媒体の相対位置として、当該相対位置毎に記憶媒体を示す画像を表示し、交換を要する記憶媒体を示す画像には、当該記憶媒体が交換を要する旨を示す情報が含まれることを特徴とする請求項１に記載の印刷システムである。
請求項３に記載の発明は、前記表示制御手段は、前記記憶装置に配置されている前記複数の記憶媒体のうち、特定の記憶媒体について、前記記憶媒体を示す画像を表示しないことを特徴とする請求項２に記載の印刷システムである。
請求項４に記載の発明は、前記表示制御手段は、前記記憶装置に配置されている前記複数の記憶媒体のうち、特定の記憶媒体について、当該特定の記憶媒体以外の他の記憶媒体とは異なる態様で前記記憶媒体を示す画像を表示することを特徴とする請求項２に記載の印刷システムである。
請求項５に記載の発明は、前記表示制御手段は、前記記憶装置に配置されている記憶媒体が交換され、交換後の記憶媒体が未使用の記憶媒体ではない場合、当該交換後の記憶媒体の物理的位置を示すとともに未使用の記憶媒体ではない旨を示す情報を表示することを特徴とする請求項１に記載の印刷システムである。
請求項６に記載の発明は、前記表示制御手段は、前記記憶装置に配置されている前記複数の記憶媒体のうち、交換を要する記憶媒体以外の記憶媒体について、物理的位置を示すとともに当該記憶媒体の状態を示す情報を表示することを特徴とする請求項１に記載の印刷システムである。
請求項７に記載の発明は、前記記憶装置に配置されている前記複数の記憶媒体への給電を制御する給電制御手段をさらに備え、前記給電制御手段は、前記交換情報出力手段が交換を要する記憶媒体を特定する前記情報を出力した場合に、予め配置されていた予備の記憶媒体に給電することを特徴とする請求項１に記載の印刷システムである。
請求項８に記載の発明は、印刷装置に供給される画像データを記憶する複数の記憶媒体を有する記憶装置について、記憶媒体の内部状態を示す属性情報を当該複数の記憶媒体のそれぞれから受け取り、当該属性情報を用いて、当該複数の記憶媒体のうち交換を要する記憶媒体を特定する情報を出力する交換情報出力手段と、前記交換情報出力手段が出力する情報を受け取り、当該情報に係る記憶媒体について、当該記憶媒体が交換を要する旨を示す場合に予め記憶されていた交換を要する当該記憶媒体の物理的位置に対応する座標情報を取得し、取得した当該座標情報を用いて前記記憶装置における当該記憶媒体が配置されている当該物理的位置を示すとともに当該記憶媒体が交換を要する旨を示す情報を、表示部に表示する制御を行う表示制御手段とを備える表示制御装置である。
請求項９に記載の発明は、コンピュータに、印刷装置に供給される画像データを記憶する複数の記憶媒体を有する記憶装置について、記憶媒体の内部状態を示す属性情報を当該複数の記憶媒体のそれぞれから受け取り、当該属性情報を用いて、当該複数の記憶媒体のうち交換を要する記憶媒体を特定する情報を出力する交換情報出力機能と、前記交換情報出力機能にて出力された情報を受け取り、当該情報に係る記憶媒体について、当該記憶媒体が交換を要する旨を示す場合に予め記憶されていた交換を要する当該記憶媒体の物理的位置に対応する座標情報を取得し、取得した当該座標情報を用いて前記記憶装置における当該記憶媒体が配置されている当該物理的位置を示すとともに当該記憶媒体が交換を要する旨を示す情報を、表示部に表示する表示機能とを実現させるためのプログラムである。
【発明の効果】
【０００７】
請求項１記載の発明によれば、記憶装置が複数の記憶媒体を有する場合に、記憶装置内の配置構成が表示されない構成と比較して、交換を要する記憶媒体が配置されている場所の特定が容易になる。
請求項２記載の発明によれば、記憶装置が複数の記憶媒体を有する場合に、記憶装置内の配置構成が表示されない構成と比較して、各記憶媒体が配置されている場所の特定が容易になる。
請求項３記載の発明によれば、特定の記憶媒体に対する操作者の操作が抑制される。
請求項４記載の発明によれば、特定の記憶媒体に対する操作者の操作が抑制される。
請求項５記載の発明によれば、過去に使用されたことのある記憶媒体に交換することが抑制される。
請求項６記載の発明によれば、記憶装置が複数の記憶媒体を有する場合に、記憶装置内の配置構成が表示されない構成と比較して、交換を要する記憶媒体以外の記憶媒体が配置されている場所及び状態の特定が容易になる。
請求項７記載の発明によれば、記憶媒体の交換を要する場合に、予備の記憶媒体に給電することができる。
請求項８記載の発明によれば、記憶装置が複数の記憶媒体を有する場合に、記憶装置内の配置構成が表示されない構成と比較して、交換を要する記憶媒体が配置されている場所の特定が容易になる。
請求項９記載の発明によれば、記憶装置が複数の記憶媒体を有する場合に、記憶装置内の配置構成が表示されない構成と比較して、交換を要する記憶媒体が配置されている場所の特定を容易にする機能を、コンピュータにより実現できる。
【図面の簡単な説明】
【０００８】
【図１】本実施の形態の画像形成装置の全体構成例を示す図である。
【図２】制御手段の機能構成例を示したブロック図である。
【図３】制御手段のハードウェア構成例を示した図である。
【図４】状態判定テーブルの一例を示す図である。
【図５】交換を要するＨＤＤの物理的位置を表示する手順の一例を示したフローチャートである。
【図６】制御手段によるＨＤＤの表示例を説明するための図である。
【図７】制御手段によるＨＤＤの表示例を説明するための図である。
【図８】制御手段によるＨＤＤの表示例を説明するための図である。
【図９】制御手段によるＨＤＤの表示例を説明するための図である。
【図１０】特定のＨＤＤを表示しない場合の一例を説明するための図である。
【図１１】特定のＨＤＤを他のＨＤＤとは異なる態様で表示する場合の一例を説明するための図である。
【発明を実施するための形態】
【０００９】
以下、添付図面を参照して、本発明の実施の形態について詳細に説明する。
＜画像形成装置の全体構成の説明＞
図１は、本実施の形態の画像形成装置１の全体構成例を示す図である。
この画像形成装置１は、画像形成装置１の各機構部を制御する制御手段２と、用紙（記録材、記録媒体）に画像を形成する印刷機構としての画像形成手段３とを備える。また画像形成装置１は、画像形成手段３で使用する用紙を収容する用紙収容手段４と、画像形成手段３により画像が形成された後の用紙の後処理を行なう後処理手段５と、画像形成手段３に供給される印刷データ（画像データ）を記憶する記憶装置６とをさらに備える。
本実施の形態において、画像形成装置１は、印刷システムの一例としての機能を有している。また、画像形成手段３は、印刷装置の一例としての機能を有している。さらに、制御手段２は、表示制御装置の一例としての機能を有している。
【００１０】
画像形成装置１の制御手段２は、図示しないネットワークに接続され、ネットワークを介して図示しないＰＣ（Personal Computer）等から印刷データを受け取る。また、制御手段２は、受け取った印刷データを処理して、記憶装置６に一時的に蓄積する。そして、制御手段２は、画像形成手段３の印刷速度に合わせて、順次、印刷データを記憶装置６から読み出して、読み出した印刷データを画像形成手段３に送信する。
【００１１】
また、制御手段２は、画像形成装置１の状態を監視しており、画像形成装置１にて異常が発生した場合には、異常状態の際に操作者が行うべき操作に対応付けられた画像を表示して操作者に提示する。さらに、制御手段２は、記憶装置６の状態も表示して、操作者に提示する。
さらに、制御手段２は、画像形成装置１内で実行される様々な処理について、処理の履歴を示すログ情報を、制御手段２の内部や記憶装置６等に記憶する。また、制御手段２は、例えばタッチパネルやキーボード等の入力デバイスを備えており、操作者からの操作を受け付ける。
【００１２】
画像形成手段３は、制御手段２から供給される印刷データをもとに、複数の色材を用いて用紙に画像を形成する。画像形成手段３は、本実施の形態では、例えば、電子写真方式のものである。即ち、例えばドラム状に形成された感光体を一様に帯電し、この感光体を印刷データに基づいて制御された光で露光して感光体上に静電潜像を形成する。そして、現像装置によってこの静電潜像を色材であるトナーによる可視像（トナー像）とする。更にこのトナー像を用紙に転写し、これを定着装置によって熱および圧力を印加することで定着して画像を形成する。
なお画像形成手段３は、電子写真方式に限られるものではなく、色材としてインクを使用し、インクを記録媒体上に吐出して像を形成するインクジェット方式のものでもよい。
【００１３】
また画像形成手段３には、用紙収容手段４の後述する用紙トレイ４１、４２とは別に用紙トレイ３１、３２が備えられている。そして用紙を用紙トレイ３１、３２から画像形成手段３に搬送する図示しない搬送系が備えられている。
さらに画像形成手段３には、排出トレイユニット３３が備えられる。画像形成手段３で画像が形成された後の用紙は、後処理手段５で後処理が必要でない場合、排出トレイユニット３３に排出される。
なお画像形成手段３には、開閉蓋３４、３５が備えられ、この開閉蓋３４、３５を開けることで、画像形成手段３の各機構部の調整、消耗品の交換、ジャム（用紙詰まり）の際の用紙の除去などのメンテナンスが行えるようになっている。
【００１４】
用紙収容手段４は、用紙トレイ４１、４２を備えている。用紙トレイ４１と用紙トレイ４２は、用紙トレイ３１、３２と併せてそれぞれ用紙を収納することができる。そして制御手段２により印刷データに合った用紙が選択され、用紙トレイ３１、３２、４１、４２の何れかから用紙が取り出され、図示しない搬送系により画像形成手段３に搬送される。
用紙収容手段４は、いわばオプション機器であり、画像形成手段３の用紙トレイ３１、３２では用紙の種類が不足する場合に、用紙収容手段４を増設することができる。よって用紙トレイ３１、３２で足りる場合は、用紙収容手段４を備える必要は必ずしもない。
【００１５】
また用紙収容手段４は、上部に用紙搬送部４３を備える。そして後処理手段５にて後処理が行なわれる場合には、用紙搬送部４３により画像形成手段３から後処理手段５に用紙が搬送される。
【００１６】
後処理手段５では、画像が形成された用紙に対し、後処理として、例えば、裁断、折り加工、穴開け、綴じ、製本などの処理が実行される。後処理手段５も、いわばオプション機器であり、後処理が必要とされない場合は、後処理手段５を接続する必要はない。
【００１７】
記憶装置６は、図示しないＰＣ等から受け取った印刷データを記憶する。ここで、記憶装置６は、例えば数１０台〜数１００台の複数のＨＤＤ（Hard Disk Drive）６１を搭載しており、印刷データをＨＤＤ６１に記憶する。このＨＤＤ６１は、１台当たり、例えば５００ＧＢ（ギガバイト）や１ＴＢ（テラバイト）の容量を有する。記憶装置６は、このような大容量の記憶領域を有しており、画像形成手段３の印刷速度に合わせて、順次、印刷データが記憶装置６から画像形成手段３に送信されることにより、間欠印刷（即ち、印刷と印刷の間に余計な白紙が挿入されてしまうような一定の間隔をおいた印刷）が発生しないように印刷が行われる。
【００１８】
また、記憶装置６に搭載されているそれぞれのＨＤＤ６１は、内部状態を示す属性情報を有している。そして、制御手段２に対してそれぞれのＨＤＤ６１の属性情報が通知されることにより、制御手段２にて各ＨＤＤ６１の状態が把握される。属性情報としては、例えば、Ｓ．Ｍ．Ａ．Ｒ．Ｔ．（Self-Monitoring, Analysis and Reporting Technology）が用いられる。Ｓ．Ｍ．Ａ．Ｒ．Ｔ．とは、ハードディスクドライブの障害の早期発見や故障の予測を目的としてハードディスクドライブ自身が発行する内部状態の情報である。
さらに、記憶装置６は電源部６２を備えており、この電源部６２は、制御手段２の制御により各ＨＤＤ６１に対して電力の供給を行う。
【００１９】
本実施の形態では、記憶媒体の一例として、ＨＤＤ６１が用いられる。なお、以下では、複数のＨＤＤ６１のそれぞれをＨＤＤ６１と表記することがあり、複数のＨＤＤ６１をまとめてＨＤＤ６１と表記することがある。
【００２０】
＜制御手段の機能構成例＞
次に、画像形成装置１が備える制御手段２の機能構成について説明する。図２は、制御手段２の機能構成例を示したブロック図である。
【００２１】
制御手段２は、ＰＣ等から印刷データを受信する印刷データ受信部２０１と、受信した印刷データに処理を施して画像形成手段３に出力する印刷データ処理部２０２とを備える。また、制御手段２は、記憶装置６に搭載されている複数のＨＤＤ６１のそれぞれから属性情報を取得する属性情報取得部２０６と、操作者の操作を受け付ける操作受付部２０７と、後述する状態判定テーブルを格納する状態判定テーブル格納部２０８と、各ＨＤＤ６１の状態を検出する状態検出部２０９とを備える。さらに、制御手段２は、各種画像を表示する表示部２１０と、表示部２１０の表示内容を制御する表示制御部２１１と、各ＨＤＤ６１への給電を制御する給電制御部２１２とを備える。
【００２２】
印刷データ受信部２０１は、ネットワークを介して図示しないＰＣ等から、ページ記述言語（以下、ＰＤＬ（Page Description Language）と称する）で記述された各ページの印刷データを受信する。以下では、ＰＤＬで記述された印刷データを特に、ＰＤＬデータと称する場合がある。
【００２３】
印刷データ処理部２０２は、印刷データ受信部２０１が受信した各ページのＰＤＬデータを処理することで、例えば中間データのようなＲＩＰデータ、例えばラスタ画像データのようなエンジンデータを生成し、生成したエンジンデータを画像形成手段３に供給して用紙に印刷させる。印刷データ処理部２０２は、ＲＩＰ処理部２０３、ラスタライズ処理部２０４、エンジン制御部２０５を有している。
【００２４】
ＲＩＰ処理部２０３は、ＰＤＬデータのＰＤＬを解釈し、その解釈結果に基づき、その画像を表すＲＩＰデータを生成する。ＲＩＰデータの一例としての中間データは、ＰＤＬデータと、画像形成手段３が取り扱い可能なラスタ画像データとの中間のデータである。ここで、ＰＤＬデータは、画像を、その画像を構成するオブジェクトごとの描画コマンドの集まりとして表現する。逆に、ラスタ画像データは、画像を、各々予め定められた数の色値の組を有する画素の集まりとして表現する。中間データは、これら両者の中間の粒度のデータであり、ＰＤＬのオブジェクトを更に複数に分割したサブオブジェクトの集まりとして画像を表現する。また、エンジンデータは、画像形成手段３が取り扱うデータ形式であって、画像形成手段３がラスタ画像データを扱うことができるのであれば、ラスタ画像データとなるし、中間データを扱うことができるのであれば中間データとなる。
【００２５】
また、ＲＩＰ処理部２０３により生成されたＲＩＰデータは、記憶装置６に出力され、記憶装置６に記憶される。なお、以下では、ＰＤＬを解釈してＲＩＰデータを生成する処理のことを、「ＲＩＰ（Raster Image Processor）処理」と呼ぶことにする。
【００２６】
ラスタライズ処理部２０４は、ＲＩＰデータに対して、例えばラスタライズ処理と呼ばれるラスタ画像データへの変換処理を行うことにより、エンジンデータを生成する。ここで、ラスタライズ処理部２０４は、記憶装置６に記憶されたＲＩＰデータを収集し、収集したＲＩＰデータからエンジンデータを生成する。また、例えば、画像形成手段３が複数の記録エンジンを備えていて、各記録エンジンがそれぞれＣ（シアン）色、Ｍ（マゼンタ）色、Ｙ（イエロー）色、Ｋ（ブラック）色などの各色を取り扱う構成となっている場合には、エンジンデータはそれぞれの画像データとして生成される。ラスタライズ処理部２０４により生成されたエンジンデータは、記憶装置６に出力され、記憶装置６に記憶される。
【００２７】
エンジン制御部２０５は、画像形成手段３の印刷速度に合わせて、順次、各ページの印刷データ（ここでは、エンジンデータ）をページ順に記憶装置６から読み出して、読み出したエンジンデータを画像形成手段３に供給して用紙に印刷させる。ここで、画像形成手段３は、現在処理中のエンジンデータの用紙への印刷が完了する毎に、完了信号をエンジン制御部２０５に送信する。そして、この完了信号に応じてエンジン制御部２０５が次のページのエンジンデータを記憶装置６から読み出して、画像形成手段３に送信する。
【００２８】
属性情報取得部２０６は、記憶装置６に搭載されている複数のＨＤＤ６１のそれぞれから属性情報を取得する。ここで、属性情報取得部２０６は、例えば、操作者による操作をもとに属性情報を取得したり、一定時間毎に属性情報を取得したりする。なお、ＨＤＤ６１から取得した属性情報には、例えばＨＤＤ６１のホスト名やＩＰアドレスなど、その属性情報を保持していたＨＤＤ６１を特定するための情報が対応付けられている。
【００２９】
操作受付部２０７は、例えばタッチパネルやキーボード等により、操作者の操作を受け付ける。例えば、操作受付部２０７は、各ＨＤＤ６１の属性情報を取得する操作を受け付ける。
【００３０】
状態判定テーブル格納部２０８は、ＨＤＤ６１の状態を判定するための条件を属性情報毎に予め定めたテーブル（以下、状態判定テーブルと称する）を格納する。例えば、「Raw Read Error Rate」という属性情報は、ＨＤＤ６１からデータを読み込む時に発生したエラーの割合を表すものである。例えばこの数値が小さいほどエラーの割合が多いものとすると、この数値が予め定められた閾値より低い場合には、ＨＤＤ６１内の磁気ディスクまたは磁気ヘッドに異常があると考えられる。そこで、状態判定テーブルには、「Raw Read Error Rate」の数値が予め定められた閾値より低い場合に、ＨＤＤ６１の交換が必要なことやＨＤＤ６１の交換時期が近づいていることが定められている。
【００３１】
状態検出部２０９は、状態判定テーブルを参照して、また属性情報取得部２０６が取得した各ＨＤＤ６１の属性情報を参照して、各ＨＤＤ６１の状態を検出する。そして、状態検出部２０９は、記憶装置６に搭載されている複数のＨＤＤ６１のうち、交換を要するＨＤＤ６１を示す情報や、交換時期が近づいているＨＤＤ６１を示す情報を出力する。例えば、複数のＨＤＤ６１のうち一のＨＤＤ６１について、「Raw Read Error Rate」の数値が予め定められた閾値より低い場合、状態検出部２０９は、交換を要するものとして当該一のＨＤＤ６１を特定する情報を出力する。
【００３２】
表示部２１０は、表示制御部２１１から送信される制御信号に従って、ＨＤＤ６１の状態を示す画像などの各種画像を表示する。
【００３３】
表示制御部２１１は、表示部２１０における表示を制御するための制御信号を生成し、表示部２１０の表示内容を制御する。ここで、表示制御部２１１は、状態検出部２０９により出力された情報をもとに、記憶装置６に搭載されている複数のＨＤＤ６１のうち、交換を要するＨＤＤ６１や交換時期が近づいているＨＤＤ６１を特定する。そして、表示制御部２１１は、交換を要するＨＤＤ６１が配置されている物理的位置（記憶装置６の配置構成において、交換を要するＨＤＤ６１の配置場所として特定される位置）を示すとともにそのＨＤＤ６１が交換を要する旨を示す情報を、表示部２１０に表示する。また、表示制御部２１１は、交換時期が近づいているＨＤＤ６１が配置されている物理的位置を示すとともにそのＨＤＤ６１の交換時期が近づいている旨を示す情報を、表示部２１０に表示する。
【００３４】
給電制御部２１２は、記憶装置６に搭載されている各ＨＤＤ６１への給電を制御する。ここで、状態検出部２０９が出力した情報により、交換を要するＨＤＤ６１が存在する場合に、記憶装置６に予備のＨＤＤ６１が予め配置されていれば、給電制御部２１２は、記憶装置６に予め配置されていた予備のＨＤＤ６１に給電する。そして、給電制御部２１２は、交換を要するＨＤＤ６１と予備のＨＤＤ６１との切り替えを行う。
【００３５】
本実施の形態では、状態検出部２０９が、交換情報出力手段の一例としての機能を有している。また、表示制御部２１１が、表示制御手段の一例としての機能を有している。さらに、給電制御部２１２が、給電制御手段の一例としての機能を有している。
【００３６】
＜制御手段のハードウェア構成＞
次に、制御手段２のハードウェア構成について説明する。図３は、制御手段２のハードウェア構成例を示した図である。図示するように、制御手段２は、演算手段であるＣＰＵ（Central Processing Unit）２２１と、記憶手段であるメインメモリ２２２およびＨＤＤ２２３とを備える。
【００３７】
ここで、ＣＰＵ２２１は、ＯＳ（Operating System）やアプリケーション等の各種プログラムを実行し、制御手段２の各機能を実現する。また、メインメモリ２２２は、各種プログラムやその実行に用いるデータ等を記憶する記憶領域である。また、ＨＤＤ２２３は、各種プログラムに対する入力データや各種プログラムからの出力データ等を記憶する記憶領域である。さらに、制御手段２は、外部との通信を行うための通信Ｉ／Ｆ２２４と、ビデオメモリやディスプレイ等からなる表示機構２２５と、タッチパネルやキーボード等の入力デバイス２２６とを備える。
【００３８】
なお、図２に示す制御手段２を構成する各機能部は、ソフトウェアとハードウェア資源とが協働することにより実現される。具体的には、ＣＰＵ２２１が、印刷データ受信部２０１、印刷データ処理部２０２、属性情報取得部２０６、操作受付部２０７、状態検出部２０９、表示制御部２１１、給電制御部２１２等を実現するプログラムを、例えばＨＤＤ２２３からメインメモリ２２２に読み込んで実行することにより、これらの機能部が実現される。また、操作受付部２０７は、例えば入力デバイス２２６により実現される。状態判定テーブル格納部２０８は、例えばＨＤＤ２２３により実現される。表示部２１０は、例えば表示機構２２５により実現される。
【００３９】
＜状態判定テーブルの説明＞
次に、状態判定テーブル格納部２０８が格納する状態判定テーブルについて、具体例を示して説明する。図４は、状態判定テーブルの一例を示す図である。なお、図４に示す例では４つの属性情報を示しているが、一般にＳ．Ｍ．Ａ．Ｒ．Ｔ．の属性情報は他にも存在しており、状態判定テーブルには５つ以上の属性情報を定めても良い。
【００４０】
図示するように、状態判定テーブルには、それぞれの属性情報毎に、ＨＤＤ６１の状態を判定するための条件が定められている。図示の例では、ＨＤＤ６１の状態を判定するための条件として、ＨＤＤ６１が性能低下したか否かを判定するための閾値（「性能低下」の閾値）と、ＨＤＤ６１を交換する必要があるか否かを判定するための閾値（「交換」の閾値）とが定められている。このような閾値などの条件については、記憶装置６に搭載されるＨＤＤ６１と同製品のＨＤＤに対して事前に実験などを行うことにより求められる。
【００４１】
例えば、上述したように、「Raw Read Error Rate」という属性情報は、ＨＤＤ６１からデータを読み込む時に発生したエラーの割合を表すものである。ここで、「Raw Read Error Rate」に対して、ＨＤＤ６１が性能低下したか否かを判定するための閾値「Ａ１」と、ＨＤＤ６１を交換する必要があるか否かを判定するための閾値「Ａ２」とが定められている。ここで、閾値「Ａ２」は、閾値「Ａ１」よりも小さい値である。そして、状態検出部２０９は、ＨＤＤ６１から取得した属性情報「Raw Read Error Rate」の数値が閾値「Ａ１」より低い場合には、そのＨＤＤ６１について性能が低下しており交換時期が近づいていると判定する。また、状態検出部２０９は、ＨＤＤ６１から取得した属性情報「Raw Read Error Rate」の数値がさらに閾値「Ａ２」より低い場合には、そのＨＤＤ６１について交換が必要であると判定する。
【００４２】
同様に、「Throughput Performance」は、ＨＤＤ６１の全体的なスループット（処理能力）を表す属性情報である。そして、この数値が閾値「Ｂ１」より低いＨＤＤ６１については性能が低下しており交換時期が近づいていると判定され、さらにこの数値が閾値「Ｂ２」より低いＨＤＤ６１については交換要と判定される。また、「Seek Error Rate」は、ＨＤＤ６１の磁気ヘッドが目的のデータのあるトラックへ移動しようとして失敗（シークエラー）した割合を表す属性情報である。そして、この数値が閾値「Ｃ１」より低いＨＤＤ６１については性能が低下しており交換時期が近づいていると判定され、さらにこの数値が閾値「Ｃ２」より低いＨＤＤ６１については交換要と判定される。
【００４３】
また、「Read Errors Corrected With Possible Delays」は、散発的に起こる応答遅延の発生傾向を表す属性情報である。一般に、ハードディスクの機構部品劣化による散発遅延は、ハードディスクのエラーとしては検出されない場合が多いが、「Read Errors Corrected With Possible Delays」の数値をもとに発生傾向を判定することができる。そして、この数値が閾値「Ｄ１」より高いＨＤＤ６１については性能が低下しており交換時期が近づいていると判定され、さらにこの数値が閾値「Ｄ２」より高いＨＤＤ６１については交換要と判定される。
【００４４】
また、図４に示す例では、各属性情報において、「性能低下」及び「交換」に関する２つの閾値が定められているが、このような構成に限られるものではない。例えば、ある属性情報には２つの閾値を定める一方で、他の属性情報には１つの閾値のみを定めたりして、属性情報に設けられる閾値の種類を属性情報毎に変えても良い。また、「性能低下」に関する閾値を複数設け、性能低下の度合いを示すようにしても良い。
さらに、例えば、ＨＤＤ６１にエラーが発生した場合に検出される属性情報が存在すれば、その属性情報に関しては閾値を定めずに、状態検出部２０９は、その属性情報が取得されたＨＤＤ６１について、交換要と判定することとしても良い。
【００４５】
また、図４に示す例では、「性能低下」及び「交換」に関する条件が定められているが、このような構成に限られるものではない。例えば、性能低下及び交換要の他にも、ＨＤＤ６１の状態を定義して、その状態を判定するための条件を設けても良い。
【００４６】
＜交換を要するＨＤＤを表示する手順の説明＞
次に、制御手段２が、交換を要するＨＤＤ６１の物理的位置を表示する手順について、フローチャートを示して説明する。図５は、交換を要するＨＤＤ６１の物理的位置を表示する手順の一例を示したフローチャートである。なお、図５に示す手順では、交換を要するＨＤＤ６１の物理的位置を表示する例について説明するが、交換時期が近づいているＨＤＤ６１や、性能低下及び交換要ではない他の状態を有するＨＤＤ６１の物理的位置を表示する場合も、同様の手順にて処理が行われる。
【００４７】
まず、例えば操作者による「属性情報を取得」する旨の指示を操作受付部２０７で受け付けることにより、属性情報取得部２０６は、記憶装置６に搭載されている複数のＨＤＤ６１のそれぞれから属性情報を取得する（ステップ１０１）。次に、状態検出部２０９は、複数のＨＤＤ６１から１つのＨＤＤ６１を選択する（ステップ１０２）。次に、状態検出部２０９は、状態判定テーブルを参照し、選択したＨＤＤ６１から取得した属性情報に基づいて、選択したＨＤＤ６１の状態を検出し、検出した状態を示す情報を出力する（ステップ１０３）。
【００４８】
ステップ１０３では、状態検出部２０９は、選択したＨＤＤ６１について、図４の状態判定テーブルに定められているような各種の属性情報を取得する。そして、状態検出部２０９は、状態判定テーブルを参照して、取得した属性情報のそれぞれをもとに、選択したＨＤＤ６１が交換を要するか否かを判定する。ここで、状態検出部２０９は、ＨＤＤ６１から取得した属性情報のうち、１つの属性情報を用いてＨＤＤ６１が交換を要するか否かを判定しても良いし、複数の属性情報を用いてＨＤＤ６１が交換を要するか否かを判定しても良い。また、状態検出部２０９は、選択したＨＤＤ６１が交換を要しない場合には、その旨を示す情報を出力することとしても良い。
【００４９】
次に、状態検出部２０９は、記憶装置６に搭載されている複数のＨＤＤ６１うち、全てのＨＤＤ６１を選択したか否かを判定する（ステップ１０４）。ステップ１０４で否定の判断（Ｎｏ）がされた場合、ステップ１０２に移行する。一方、ステップ１０４で肯定の判断（Ｙｅｓ）がされた場合、表示制御部２１１は、ステップ１０３で状態検出部２０９により出力された情報をもとに、交換を要するＨＤＤ６１を特定する（ステップ１０５）。
【００５０】
次に、表示制御部２１１は、交換を要するＨＤＤ６１が配置されている物理的位置を示すとともにそのＨＤＤ６１が交換を要する旨を示す情報を、表示部２１０に表示する（ステップ１０６）。操作者は、表示部２１０に表示されている画面により、交換を要するＨＤＤ６１の物理的位置を確認し、ＨＤＤ６１の交換を行えば良い。そして、本処理フローは終了する。
【００５１】
なお、ステップ１０３において、状態検出部２０９が、ＨＤＤ６１から取得した属性情報をもとに、交換時期が近づいているか否かを判定することにより、交換時期が近づいているＨＤＤ６１の物理的位置が表示されることになる。同様に、ステップ１０３において、状態検出部２０９が、ＨＤＤ６１から取得した属性情報をもとに、性能低下及び交換要ではない他の状態であるか否かを判定することにより、他の状態を有するＨＤＤ６１の物理的位置が表示されることになる。
【００５２】
また、ステップ１０３において、状態検出部２０９が出力した情報により、交換を要するＨＤＤ６１が存在する場合、記憶装置６に予備のＨＤＤ６１が予め配置されていれば、給電制御部２１２は、予備のＨＤＤ６１に給電しても良い。そして、給電制御部２１２は、交換を要するＨＤＤ６１と予備のＨＤＤ６１との切り替えを行うこととしても良い。
【００５３】
＜ＨＤＤの表示例＞
次に、制御手段２によるＨＤＤ６１の表示について、具体例を示して説明する。図６〜９は、制御手段２によるＨＤＤ６１の表示例を説明するための図である。ここでは、ＨＤＤ６１を搭載する記憶装置６の構成として、第１の構成及び第２の構成の２つの構成例について説明する。
【００５４】
まず、図６及び図７を参照しながら、記憶装置６の第１の構成について説明する。
図６は、記憶装置６内部のＨＤＤ６１の配置構成を表す画像の一例を示す図である。図示のように、記憶装置６に搭載されている各ＨＤＤ６１の物理的位置は、記憶装置６の全体に対応する筐体（ボックス）における各ＨＤＤ６１の相対的な位置として表示される。本実施の形態では、図示のように、記憶装置６におけるＨＤＤ６１の搭載状況を表す画像７１が準備されている。ここで、ＨＤＤ６１の物理的位置には、そのＨＤＤ６１を示す画像（いわゆる、アイコン）７２がＨＤＤ６１毎に表示される。このような画像７１が表示部２１０に表示されることにより、操作者に対して各ＨＤＤ６１の物理的位置が提示される。
【００５５】
ここで、図示の例では、記憶装置６に合計３２台のＨＤＤ６１が配置されている。また、記憶装置６の内部は、「Ｒｉｐ  Ｓｐｏｏｌ」、「ＯＳ  Ｄｉｓｋ」、「Ｏｕｔｐｕｔ  Ｓｐｏｏｌ−０」、「Ｏｕｔｐｕｔ  Ｓｐｏｏｌ−１」、「Ｏｕｔｐｕｔ  Ｓｐｏｏｌ−２」、「Ｏｕｔｐｕｔ  Ｓｐｏｏｌ−３」という６つの領域に分けられている。そして、それぞれの領域毎に、記憶されるデータの種類が決められている。
【００５６】
「Ｒｉｐ  Ｓｐｏｏｌ」は、ＰＤＬデータからＲＩＰ処理により変換された中間データを記憶する領域である。言い換えると、「Ｒｉｐ  Ｓｐｏｏｌ」には、ＲＩＰ処理部２０３にて生成されたＲＩＰデータが記憶される。図示の例では、「Ｒｉｐ  Ｓｐｏｏｌ」には、番号「１８」〜「３１」の１４台のＨＤＤ６１が配置される。また、「Ｒｉｐ  Ｓｐｏｏｌ」のＨＤＤ６１は、いわゆるＲＡＩＤ（Redundant Arrays of Inexpensive Disks）０の構成を有し、１４台のＨＤＤ６１はまとめて１台として扱われる。例えば、「Ｒｉｐ  Ｓｐｏｏｌ」の１４台のＨＤＤ６１のうち１台のＨＤＤ６１が故障した場合、操作者が新しいＨＤＤ６１に交換した後、１４台のＨＤＤ６１でＲＡＩＤの再構築が行われる。
【００５７】
「ＯＳ  Ｄｉｓｋ」は、ＯＳ及びＯＳを動作させるために必要なソフトウェアが保存されたシステムディスクが記憶される領域である。図示の例では、「ＯＳ  Ｄｉｓｋ」には、番号「１６」、「１７」の２台のＨＤＤ６１が配置される。また、システムディスクは、いわゆるＲＡＩＤ１の構成を有し、２つのＨＤＤ６１による二重化（ミラーリング）にて運用される。即ち、番号「１６」、「１７」の２つのＨＤＤ６１には同じ内容が記憶されており、一方のＨＤＤ６１が故障した際には、他方のＨＤＤ６１からデータの読み出しが行われる。また、例えば、「ＯＳ  Ｄｉｓｋ」の２台のＨＤＤ６１のうち１台のＨＤＤ６１が故障した場合、操作者が新しいＨＤＤ６１に交換した後、２台のＨＤＤ６１でＲＡＩＤの再構築が行われる。バックアップ側のＨＤＤ６１には、「ＯＳ  Ｍｉｒｒｏｒ（Ｏｐｔｉｏｎ）」の文字が付されたアイコンが表示される。
【００５８】
「Ｏｕｔｐｕｔ  Ｓｐｏｏｌ−０」、「Ｏｕｔｐｕｔ  Ｓｐｏｏｌ−１」、「Ｏｕｔｐｕｔ  Ｓｐｏｏｌ−２」、「Ｏｕｔｐｕｔ  Ｓｐｏｏｌ−３」はそれぞれ、「Ｒｉｐ  Ｓｐｏｏｌ」に記憶されているＲＩＰデータから変換されたエンジンデータを記憶する領域である。ここで、例えば画像形成手段３がＣ，Ｍ，Ｙ，Ｋ各色のラスタ画像データを扱う記録エンジンから構成されている場合には、「Ｏｕｔｐｕｔ  Ｓｐｏｏｌ−１」にはＣ色のラスタ画像データが記憶され、「Ｏｕｔｐｕｔ  Ｓｐｏｏｌ−２」にはＭ色のラスタ画像データが記憶される。また、「Ｏｕｔｐｕｔ  Ｓｐｏｏｌ−３」にはＹ色のラスタ画像データが記憶され、「Ｏｕｔｐｕｔ  Ｓｐｏｏｌ−０」にはＫ色のラスタ画像データが記憶される。言い換えると、「Ｏｕｔｐｕｔ  Ｓｐｏｏｌ−０」、「Ｏｕｔｐｕｔ  Ｓｐｏｏｌ−１」、「Ｏｕｔｐｕｔ  Ｓｐｏｏｌ−２」、「Ｏｕｔｐｕｔ  Ｓｐｏｏｌ−３」には、ラスタライズ処理部２０４にて生成されたエンジン画像データが、それぞれの色毎に記憶される。
【００５９】
図示の例では、「Ｏｕｔｐｕｔ  Ｓｐｏｏｌ−３（Ｙ）」には、番号「１２」〜「１５」の４台のＨＤＤ６１が配置され、「Ｏｕｔｐｕｔ  Ｓｐｏｏｌ−２（Ｍ）」には、番号「８」〜「１１」の４台のＨＤＤ６１が配置される。また、「Ｏｕｔｐｕｔ  Ｓｐｏｏｌ−１（Ｃ）」には、番号「４」〜「７」の４台のＨＤＤ６１が配置され、「Ｏｕｔｐｕｔ  Ｓｐｏｏｌ−０（Ｋ）」には、番号「０」〜「３」の４台のＨＤＤ６１が配置される。
【００６０】
そして、「Ｏｕｔｐｕｔ  Ｓｐｏｏｌ−０」の４台のＨＤＤ６１、「Ｏｕｔｐｕｔ  Ｓｐｏｏｌ−１」の４台のＨＤＤ６１、「Ｏｕｔｐｕｔ  Ｓｐｏｏｌ−２」の４台のＨＤＤ６１、「Ｏｕｔｐｕｔ  Ｓｐｏｏｌ−３」の４台のＨＤＤ６１は、それぞれＲＡＩＤ０の構成を有している。例えば「Ｏｕｔｐｕｔ  Ｓｐｏｏｌ−０」の４台のＨＤＤ６１は、まとめて１台として扱われる。また、例えば「Ｏｕｔｐｕｔ  Ｓｐｏｏｌ−０」の４台のＨＤＤ６１のうち１台のＨＤＤ６１が故障した場合、操作者が新しいＨＤＤ６１に交換した後、４台のＨＤＤ６１でＲＡＩＤの再構築が行われる。
【００６１】
次に、図７は、属性情報をもとにしたＨＤＤ６１の表示例を示す図である。図示の例では、状態検出部２０９は、「Ｏｕｔｐｕｔ  Ｓｐｏｏｌ−３」に配置されている番号「１４」のＨＤＤ６１の属性情報に基づいて、このＨＤＤ６１が交換を要すると判定した。その結果、図示するように、番号「１４」のＨＤＤ６１の物理的位置には、交換を要する旨を示すアイコン７３が表示される。この例では、ＨＤＤ６１の物理的位置を示すアイコンの上に重ねて、交換を要する旨を示すアイコン７３が表示されている。また、このアイコン７３は、例えば、他の正常なＨＤＤ６１にて表示されているアイコンの色とは異なる色（例えば、赤色）で表示されたり、「交換要」等の文字が付加されたりすることにより、交換を要する旨を強調しても良い。
【００６２】
また、表示制御部２１１は、交換を要するＨＤＤ６１以外のＨＤＤ６１についても、状態を表示できる。図示の例では、状態検出部２０９は、「Ｏｕｔｐｕｔ  Ｓｐｏｏｌ−０」に配置されている番号「３」のＨＤＤ６１の属性情報に基づいて、このＨＤＤ６１は性能低下しており交換時期が近づいていると判定した。その結果、図示するように、番号「３」のＨＤＤ６１の物理的位置には、性能が低下している旨を示すアイコン７４が表示される。この例では、ＨＤＤ６１の物理的位置を示すアイコンの上に重ねて、性能が低下している旨を示すアイコン７４が表示されている。また、このアイコン７４は、例えば、他の正常なＨＤＤ６１や交換を要するＨＤＤ６１にて表示されているアイコンの色とは異なる色（例えば、黄色）で表示されたり、「警告」等の文字が付加されたりすることにより、性能が低下している旨を強調しても良い。
【００６３】
ここで、表示制御部２１１は、ＨＤＤ６１の物理的位置にアイコンを表示するにあたり、記憶装置６内部の配置構成を表す画像７１の全体において直交座標系を考える。例えば、画像７１の左上の隅を原点Ｏ（０、０）とし、画像の横方向の座標をｘ座標、画像の縦方向の座標をｙ座標とする。そして、表示制御部２１１は、各ＨＤＤ６１の物理的位置に対応する座標情報を予め記憶しておく。ここで、例えば、交換を要する旨を示すアイコンを表示する場合、表示制御部２１１は、まず、予め記憶しておいた各ＨＤＤ６１の座標情報のうち、交換を要するＨＤＤ６１の物理的位置に対応する座標情報を取得する。そして、表示制御部２１１は、取得した座標情報が示す位置に、交換を要する旨を示すアイコンを表示する処理を行う。なお、ＨＤＤ６１の故障については、エンジンデータを記憶する領域に限らずＲＩＰデータを記憶する領域でも発生し得る。したがって「交換要」や「警告」を示すアイコンは、「Ｒｉｐ  Ｓｐｏｏｌ」に属するＨＤＤ６１に対しても適用して良い。
【００６４】
次に、図８及び図９を参照しながら、記憶装置６の第２の構成について説明する。
図８は、記憶装置６内部のＨＤＤ６１の配置構成を表す画像の一例を示す図である。図６に示す例と同様に、記憶装置６に搭載されている各ＨＤＤ６１の物理的位置は、記憶装置６の全体に対応する筐体（ボックス）における各ＨＤＤ６１の相対的な位置として表示される。ここでは、図示のように、記憶装置６におけるＨＤＤ６１の搭載状況を表す画像７５が準備されている。そして、ＨＤＤ６１の物理的位置には、そのＨＤＤ６１を示す画像（アイコン）７６がＨＤＤ６１毎に表示される。
【００６５】
ここで、記憶装置６は、「ＣＥＰ」、「ＦＡ」、「ＦＢ」、「ＦＣ」、「ＦＤ」という５つの領域に分けられている。そして、それぞれの領域毎に、記憶されるデータの種類が決められている。
【００６６】
「ＣＥＰ」は、即座に決められたアクションを実行する複合イベント処理（ＣＥＰ：Complex Event Processing）を実行するためのソフトウェアが記憶される領域である。この領域には３２台のＨＤＤ６１が配置可能であり、図示の例では、４台のＨＤＤ６１が配置されており、残りの２８台のＨＤＤ６１はまだ配置されていない。
【００６７】
「ＦＡ」、「ＦＢ」、「ＦＣ」、「ＦＤ」はそれぞれ、ＲＩＰデータ、システムディスク及び画像形成手段３が備える記録エンジンで取り扱われるエンジンデータが記憶される領域である。一例として、具体的には、「ＦＡ」には、ＲＩＰデータ、システムディスク、Ｙ色のデータが記憶される。「ＦＢ」には、ＲＩＰデータ、システムディスク、Ｍ色のラスタ画像データが記憶される。「ＦＣ」には、ＲＩＰデータ、システムディスク、Ｃ色のラスタ画像データが記憶される。「ＦＤ」には、ＲＩＰデータ、システムディスク、Ｋ色のラスタ画像データが記憶される。
【００６８】
そして、この「ＦＡ」、「ＦＢ」、「ＦＣ」、「ＦＤ」の領域にはそれぞれ、合計で３２台のＨＤＤ６１が配置可能である。具体的には、各領域において、ＲＩＰデータを記憶するための１４台のＨＤＤ６１が配置可能である。また、システムディスクを記憶するための２台のＨＤＤ６１が配置可能である。さらに、エンジンデータを記憶するための１６台のＨＤＤ６１が配置可能である。図示の例では、「ＦＡ」、「ＦＢ」、「ＦＣ」、「ＦＤ」の領域のそれぞれについて、ＲＩＰデータを記憶するためのＨＤＤ６１、システムディスクを記憶するためのＨＤＤ６１、エンジンデータを記憶するためのＨＤＤ６１が配置される範囲が太線で区切られている。そして、ＲＩＰデータを記憶するための１４台のＨＤＤ６１と、システムディスクの２台のＨＤＤ６１と、エンジンデータを記憶するための１６台のＨＤＤ６１とが配置されている。
【００６９】
また、第２の構成においても、第１の構成と同様に、ＨＤＤ６１の物理的位置に、交換を要する旨を示すアイコンや性能が低下している旨を示すアイコンが表示される。図９は、属性情報をもとにしたＨＤＤ６１の表示例を示す図である。例えば、交換を要すると判定されたＨＤＤ６１の物理的位置には、交換を要する旨を示すアイコン７７が表示されている。また、例えば、性能が低下していると判定されたＨＤＤ６１の物理的位置には、性能が低下している旨を示すアイコン７８が表示されている。
【００７０】
また、表示制御部２１１は、性能低下及び交換要ではない他の状態を有するＨＤＤ６１の物理的位置に、他の状態であることを示すアイコンを表示しても良い。さらに、表示制御部２１１は、正常な状態であるＨＤＤ６１の物理的位置に、正常な状態であることを示すアイコンを表示しても良い。
【００７１】
また、表示制御部２１１は、ＨＤＤ６１の状態を示すアイコンとして、例えば、交換を要する旨を示すアイコンのみを表示しても良いし、記憶装置６に搭載されている全てのＨＤＤ６１について状態を示すアイコンを表示しても良い。また、表示制御部２１１は、例えば、予め定められた特定のＨＤＤ６１についてのみ、状態を示すアイコンを表示しても良い。
【００７２】
さらに、ＨＤＤ６１に対しては、例えば、状態検出部２０９によるＨＤＤ６１の状態確認の処理や、ＲＡＩＤ再構築、フォーマット、デフラグなど、様々な処理が行われることが考えられる。そこで、表示制御部２１１は、ＨＤＤ６１に対して何らかの処理が実行されている場合に、処理が行われているＨＤＤ６１の物理的位置に、実行中の処理を示すアイコンを表示しても良い。言い換えると、表示制御部２１１は、ＨＤＤ６１の物理的位置に、属性情報に基づく状態を示すアイコンの他に、実行中の処理状態を示すアイコンを表示しても良い。表示されるアイコンとしては、例えば、「状態確認中」、「ＲＡＩＤ再構築中」、「フォーマット中」、「デフラグ中」などを示すアイコンが挙げられる。
【００７３】
また、表示制御部２１１は、ＨＤＤ６１の物理的位置にアイコンを表示するにあたり、アイコンを点滅表示して目立たせるようにしても良い。例えば、交換を要する旨を示すアイコンを点滅させて表示することにより、操作者は交換を要するＨＤＤ６１を特定し易くなる。
【００７４】
さらに、表示制御部２１１は、ＨＤＤ６１の状態表示において、例えばシステムディスクなどの特定のＨＤＤ６１については表示しないこととしても良い。図１０は、特定のＨＤＤ６１を表示しない場合の一例を説明するための図である。図示の画像７１では、第１の構成の記憶装置６において、「ＯＳ  Ｄｉｓｋ」の領域に配置されているシステムディスクのＨＤＤ６１のアイコンが表示されていない。システムディスクは、ＯＳを動作させるソフトウェアを含むため、操作者がシステムディスクに対する操作を行うことで、記憶装置６に不具合が生じる可能性がある。そこで、システムディスクの物理的位置を操作者に提示しないことで、操作者がシステムディスクに対して操作することが抑制される。
【００７５】
また、表示制御部２１１は、例えばシステムディスクなどの特定のＨＤＤ６１については、特定のＨＤＤ６１以外の他のＨＤＤ６１とは異なる態様で表示することとしても良い。図１１は、特定のＨＤＤ６１を他のＨＤＤ６１とは異なる態様で表示する場合の一例を説明するための図である。図示の画像７１では、第１の構成の記憶装置６において、「ＯＳ  Ｄｉｓｋ」の領域に配置されているシステムディスクのＨＤＤ６１のみ、他のＨＤＤ６１とは態様が異なるアイコン７９を表示している。このように、システムディスクについて他のＨＤＤ６１とは異なる態様で表示することにより、操作者に対してシステムディスクの物理的位置を明示し、操作しないように注意喚起することができる。他のＨＤＤ６１とは異なる態様としては、アイコンを変える以外の態様でも良く、例えば、システムディスクであることを示す文字などを付加しても良い。
【００７６】
また、本実施の形態では、記憶装置６のＨＤＤ６１を新しいＨＤＤ６１に交換した後、ＲＡＩＤ再構築の処理が行われるが、この際、新しいＨＤＤ６１が未使用のものであるか否かの判定が行われる。例えば、過去に使用されたことのあるＨＤＤ６１を再度使用する場合、未使用のものに比べて故障し易い可能性がある。そこで、システムディスクの制御により、新たに配置されたＨＤＤ６１が未使用のものであるか否かの判定を行い、未使用のＨＤＤ６１であればＲＡＩＤ再構築を完了する。一方、過去に使用されたことのあるＨＤＤ６１であれば、ＲＡＩＤ再構築を行わずにエラーとする。この場合、表示制御部２１１は、新たにＨＤＤ６１を配置した物理的位置に、ＨＤＤ６１が未使用ではなく過去に使用された履歴があるためにエラーとなった旨を示すアイコンを表示する。
【００７７】
このように、表示制御部２１１は、記憶装置６に配置されている各ＨＤＤ６１の物理的位置を表示するとともに、ＨＤＤ６１の状態等の表示を行う。また、記憶装置６としては、図６や図８に示した構成に限られず、例えば、図６や図８に示した構成（筐体）を２つ以上有するものとしても良い。
【００７８】
以上説明したように、本実施の形態に係る画像形成装置１において、制御手段２は、記憶装置６に配置されている複数のＨＤＤ６１のそれぞれから属性情報を取得し、取得した属性情報をもとに交換を要するＨＤＤ６１を特定する。そして、制御手段２は、交換を要するＨＤＤ６１が配置されている物理的位置を表示し、操作者に提示する。そのため、操作者は、表示部２１０に表示された画面を確認して、交換を要するＨＤＤ６１が配置されている場所を特定しＨＤＤ６１の交換を行えば良い。また、画像形成装置１は、交換時期が近づいているＨＤＤ６１や、性能低下及び交換要ではない他の状態を有するＨＤＤ６１等の物理的位置を表示し、操作者に提示する。
【００７９】
また、本実施の形態において、記憶装置６は、ＨＤＤを搭載するものとして説明したが、搭載する記憶媒体としてはＨＤＤに限られるものではない。記憶装置６は、例えば、ＨＤＤの代わりに、ＳＳＤ（Solid State Drive）を搭載しても良い。
【００８０】
さらに、本実施の形態において、制御手段２は表示部２１０を備えることとしたが、表示部２１０が外部に設けられており、表示制御部２１１は、外部に設けられた表示部２１０に対して表示を制御するための制御信号を送信することとしても良い。
【００８１】
また、本発明の実施の形態を実現するプログラムは、通信手段により提供することはもちろん、ＣＤ−ＲＯＭ等の記憶媒体に格納して提供することも可能である。
【００８２】
なお、本発明を実施の形態を用いて説明したが、本発明の技術的範囲は上記実施の形態には限定されない。本発明の精神及び範囲から逸脱することなく様々に変更したり代替態様を採用したりすることが可能なことは、当業者に明らかである。
【符号の説明】
【００８３】
１…画像形成装置、２…制御手段、３…画像形成手段、６…記憶装置、６１…ＨＤＤ、６２…電源部、２０１…印刷データ受信部、２０２…印刷データ処理部、２０３…ＲＩＰ処理部、２０４…ラスタライズ処理部、２０５…エンジン制御部、２０６…属性情報取得部、２０７…操作受付部、２０８…状態判定テーブル格納部、２０９…状態検出部、２１０…表示部、２１１…表示制御部、２１２…給電制御部
【図１】
0006657797.tif 000002
【図２】
0006657797.tif 000003
【図３】
0006657797.tif 000004
【図４】
0006657797.tif 000005
【図５】
0006657797.tif 000006
【図６】
0006657797.tif 000007
【図７】
0006657797.tif 000008
【図８】
0006657797.tif 000009
【図９】
0006657797.tif 000010
【図１０】
0006657797.tif 000011
【図１１】
0006657797.tif 000012